(57)【要約】【課題】  操作性が乏しい入力デバイスであっても、メニュー選択を容易に行うことができる画像検査システムの表示装置を提供する。【解決手段】  検査制御／処理部によって製品を撮像して得た画像データを用いて、当該製品の良否を検査するものであり、複数の設定項目を含む階層的な設定メニューを記憶しておき、複数の設定項目を含む上位層の設定メニュー１０１を表示画面の所定領域に一列に表示させ、当該表示させた上位層の設定メニュー１０１に含まれる何れかの設定項目が選択された場合には、当該選択された設定項目に対応した下位層の設定メニュー１０２を、所定領域に隣接して一列に表示させる。【選択図】      図２
2009110115.tif 000002
【特許請求の範囲】
【請求項１】
製品を撮像して得た画像データを用いて、当該製品の良否を検査する画像検査システムの設定装置であって、
前記画像検査システムの複数の設定項目を含む階層的な設定メニューを記憶するメニュー記憶手段と、
前記画像検査システムの複数の設定項目を含む設定メニューを階層的に表示させ、当該設定項目に対応した画像検査システムの設定状態を表示する表示手段と、
前記画像検査システムの設定項目を選択するためにユーザに操作される入力手段と、
前記入力手段に対する操作を検出して、前記メニュー記憶手段から設定メニューを読み出して、前記表示手段に表示させる表示制御手段とを備え、
前記表示制御手段は、複数の設定項目を含む上位層の設定メニューを前記表示手段における表示画面の所定領域に一列に表示させ、当該表示させた上位層の設定メニューに含まれる何れかの設定項目が選択されたことを前記入力手段に対する操作に基づいて検出した場合には、当該選択された設定項目に対応した下位層の設定メニューを、前記所定領域に隣接して一列に表示させることを特徴とする画像検査システムの表示装置。
【請求項２】
前記表示制御手段は、前記下位層の設定メニューに含まれる設定項目が選択されたことを前記入力手段に対する操作に基づいて検出した場合にも、当該下位層の設定メニューの表示を継続することを特徴とする請求項１に記載の画像検査システムの表示装置。
【請求項３】
前記表示制御手段は、前記上位層の設定メニュー及び前記下位層の設定メニューに含まれる設定項目が選択されたことが前記入力手段に対する操作に基づいて検出した場合に、当該選択された設定項目を強調表示したままとしておくことを特徴とする請求項１又は請求項２に記載の画像検査システムの表示装置。
【請求項４】
前記表示制御手段は、前記下位層の設定メニューに含まれる設定項目を、前記所定領域の下部の一列内においてスクロール表示させることを特徴とする請求項１乃至請求項３の何れか一項に記載の画像検査システムの表示装置。
【請求項５】
前記表示制御手段は、前記下位層の設定メニューに含まれる設定項目が選択されたことが前記入力手段に対する操作に基づいて検出した場合に、当該下位層の設定メニューに含まれる設定項目に対応した設定画面を表示させることを特徴とする請求項１乃至請求項４の何れか一項に記載の画像検査システムの表示装置。
【請求項６】
前記入力手段は、方向キー及び決定キーを含む簡易型入力装置からなることを特徴とする請求項１乃至請求項５の何れか一項に記載の画像検査システムの表示装置。
【発明の詳細な説明】
【技術分野】
【０００１】
本発明は、画像によって製品の良否を検査する画像検査システムの表示装置に関する。
【背景技術】
【０００２】
従来より、使い勝手を向上させたメニュー表示技術としては、下記の特許文献１に記載された情報機器が知られている。
【０００３】
この情報機器は、表示画面上に表題としてメインメニューという文字列が画面上方に表示され、メインメニューにおいて選択可能な項目である選択項目として、映像調整、音声調整、本体設定、機能切換の４種類の選択項目が画面の中央付近に表示される。上下移動キーにより項目として「音声調整」を選択すると、同じ表示画面上において、選択された文字列である「音声調整」を、例えば、メインメニューの左隣の位置であって、選択項目中の音声調整の表示位置とは離れた位置に、「音声調整」の文字列をコピーして表示する。このコピー表示により、現在選択中の項目が「音声調整」であることが確認しやすくしている。
【特許文献１】特開２００５−０７１０９６号公報
【発明の開示】
【発明が解決しようとする課題】
【０００４】
上述した情報機器を含む従来の表示装置では、一般的に画面上部に配置されたメニューを選択した場合には、プルダウン形式でサブメニューを表示して、当該サブメニューに含まれる設定項目を選択させるようになっている。しかし、このようなメニューの表示方式では、マウス等の操作性の高いデバイスで設定項目を選択することは容易であるが、製品検査用の画像検査システムといった特定分野のように、方向キーと決定キーといったように操作性があまり高くない操作デバイスを用いる場合には、何度も同じサブメニューを選択することが非常に煩雑な操作となる場合もある。
【０００５】
具体的には、メインメニューを決定キーの押下によって選択して、サブメニューをプルダウンで表示させ、次に、方向キーの下方向キーの押下によって、目的とする設定項目を選択して、決定キーの押下によってコマンドを発生させる必要がある。
【０００６】
また、一般的なＧＵＩにおいては、サブメニューの設定項目が選択された時に、サブメニューが消えてしまい、再度サブメニューを表示させたい場合には、再度メインメニューの設定項目を選択する必要がある。
【０００７】
更に、ＧＵＩにおいては、メインメニューに含まれるサブメニューを表示させるためには、メインメニューの各設定項目を順次表示させる必要があり、初めて操作する者にとってはどのような設定項目が存在するのかが不明であった。
【０００８】
そこで、本発明は、上述した実情に鑑みて提案されたものであり、操作性が乏しい入力デバイスであっても、メニュー選択を容易に行うことができる画像検査システムの表示装置を提供することを目的とする。
【課題を解決するための手段】
【０００９】
本発明は、製品を撮像して得た画像データを用いて、当該製品の良否を検査する画像検査システムの設定装置であって、画像検査システムの複数の設定項目を含む階層的な設定メニューを記憶するメニュー記憶手段と、画像検査システムの複数の設定項目を含む設定メニューを階層的に表示させる表示手段と、画像検査システムの設定項目を選択するためにユーザに操作される入力手段と、入力手段に対する操作を検出して、メニュー記憶手段から設定メニューを読み出して、表示手段に表示させる表示制御手段とを備える。この画像検査システムの表示装置は、上述の課題を解決するために、表示制御手段によって、複数の設定項目を含む上位層の設定メニューを表示手段における表示画面の所定領域に一列に表示させ、当該表示させた上位層の設定メニューに含まれる何れかの設定項目が選択されたことを入力手段に対する操作に基づいて検出した場合には、当該選択された設定項目に対応した下位層の設定メニューを、所定領域に隣接して一列に表示させる。
【発明の効果】
【００１０】
本発明によれば、複数の設定項目を含む上位層の設定メニューを表示画面の所定領域に一列に表示させ、当該表示させた上位層の設定メニューに含まれる何れかの設定項目が選択された場合には、当該選択された設定項目に対応した下位層の設定メニューを、所定領域に隣接して一列に表示させるので、操作性が乏しい入力デバイスであっても、メニュー選択を容易に行うことができる。
【発明を実施するための最良の形態】
【００１１】
以下、本発明の実施の形態について図面を参照して説明する。
【００１２】
本発明は、例えば図１に示すように構成された画像検査システムに適用される。この画像検査システムは、主として製造ラインにおいて部品等の品種の識別、異種部品の混入検査、組立作業や製品検査などの自動化のために、部品や製品等の対象物の外観検査に使用される。この画像検査システムは、画像処理の結果が対象物の面積、形状、位置などの測定・認識に用いられ、これにより、対象物の良品、不良品などを判定する。
【００１３】
この画像検査システムは、撮像部１と、撮像制御部２と、画像メモリ３と、検査制御／処理部４と、検査用データ記憶部５と、表示制御部６（表示制御手段）と、出力制御部７と、表示部（表示手段）８と、ユーザに操作される操作入力部（入力手段）９と、表示部８に表示させる設定メニューを決定するための設定メニュー情報を記憶した設定メニュー記憶部１０とを備える。
【００１４】
この画像検査システムは、撮像制御部２、画像メモリ３、検査制御／処理部４、検査用データ記憶部５、表示制御部６、出力制御部７、設定メニュー記憶部１０がＣＰＵや情報記憶装置及びメモリなどによって実現され、表示部８がディスプレイによって実現され、操作入力部９が簡易型リモコン等によって実現される。この簡易型リモコンは、方向キー及び決定キーを含む簡易型入力装置であって、マウス等と比較して操作性が乏しいものである。
【００１５】
画像検査システムは、製品の良否検査をする場合に、製造ライン上の製品を撮像する撮像部１によって製品を撮像した画像データを作成する。この画像データは、検査制御／処理部４の制御に従って撮像制御部２によって取り込まれて、画像メモリ３に一時記憶され、検査制御／処理部４によって検査対象とされる。
【００１６】
検査制御／処理部４は、画像メモリ３に記憶された画像データと、検査用データ記憶部５に記憶された検査用データとを用いて、製品の良否検査を行う。例えば、検査制御／処理部４は、画像メモリ３に記憶された画像データと、検査用データ記憶部５に予め記憶されていた良品の画像データとの比較を行って、製品の面積、形状、位置などを測定し、良品又は不良品であるという検査結果を作成する。この検査結果は、出力制御部７の制御に従って、表示制御部６を介して表示部８に表示される。
【００１７】
このような画像検査システムは、検査制御／処理部４によって、製品を撮像して得た画像データを用いて当該製品の良否を検査し、検査制御／処理部４によって検査される製品の画像データ又は製品の検査結果を含む画像を表示部８によって表示する。
【００１８】
このような画像検査システムにおいて、製品検査の管理者は、画像検査システムの各種設定を行うために、表示部８及び操作入力部９のユーザインターフェースを利用する。具体的には、表示制御部６によって設定用表示画像を表示部８に表示させて、操作入力部９の操作に従った設定内容を検査制御／処理部４に供給することによって、画像検査システムの動作設定を行う。このような表示制御部６の動作は、図示しないメモリに記憶されたシステム設定ツール（プログラム）をＣＰＵが読み込んで実行し、設定メニュー記憶部１０に記憶されている設定メニュー情報を用いて各種の設定項目を選択させることによって実現される。
【００１９】
設定メニュー記憶部１０には、画像検査システムの複数の設定項目を含む階層的な設定メニューを記憶している。すなわち、設定メニュー記憶部１０に記憶されている設定メニューには、上位層の設定メニューと、下位層の設定メニューとが存在する。下位層の設定メニューは、各種のコマンドを発生させるための設定項目を含み、上位層の設定メニューは、下位層の設定メニューを選択する設定項目を含む。したがって、上位層の設定メニューに含まれる設定項目のうち下位層の設定メニューを選択する設定項目が選択された場合には、当該選択された下位層の設定メニューが読み出される。
【００２０】
このような設定メニューの操作は、表示制御部６によって、操作入力部９に対する操作を検出して、設定メニュー記憶部１０から設定メニューを読み出して、表示部８に表示させることによって実現される。
【００２１】
具体的には、表示制御部６は、図２に設定画面１００を示すように、複数の設定項目を含む上位層の設定メニュー１０１を表示部８における表示画面の所定領域に一列に表示させ、当該表示させた上位層の設定メニュー１０１（以下、メインメニュー１０１と呼ぶ。）に含まれる何れかの設定項目が選択されたことを操作入力部９に対する操作に基づいて検出した場合には、当該選択された設定項目に対応した下位層の設定メニュー１０２（以下、サブメニュー１０２と呼ぶ。）を、所定領域に隣接して一列に表示させる。
【００２２】
更に具体的には、先ず、メインメニュー１０１しか設定画面１００に表示されていない状態において、メインメニュー１０１に含まれる「検査」の設定項目が操作入力部９の決定ボタンの押下操作によって選択されると、表示制御部６は、当該「検査」の設定項目に対応したサブメニュー１０２を設定メニュー記憶部１０から読み出して、サブメニュー１０２をメインメニュー１０１に隣接させて表示させる。次に、操作入力部９の下方向ボタンの押下操作と左右方向ボタンの押下操作の後の決定ボタンの押下操作によって、サブメニュー１０２のうちの「領域調整」の設定項目が選択されると、表示制御部６は、検査制御／処理部４からの情報等を用いて、当該設定項目に対応した画像検査システムの設定状態を表す検査設定画像１０３、検査設定画像１０４、撮像画像１０５を表示させることができる。
【００２３】
これによって、画像検査システムは、メインメニュー１０１に含まれる設定項目が操作入力部９の操作によって選択された場合に、当該選択された設定項目に対応したサブメニュー１０２をメインメニュー１０１に隣接させて表示することができる。
【００２４】
また、この画像検査システムによれば、メインメニュー１０１が操作入力部９によって選択された場合であっても、プルダウン形式でサブメニュー１０２を表示することなく、当該メインメニュー１０１及びサブメニュー１０２の下部に表示されている各種の検査設定画像１０３，検査設定画像１０４及び撮像画像１０５にサブメニュー１０２を重畳表示させることがない。なお、設定画面１００において、検査設定画像１０３は、画像検査システムにおける製造ライン上のブロック番号及びチェッカ番号を含み、検査設定画像１０４は、製品に関する設定情報及び製品マトリクス画像１０４ａを含み、当該製品マトリクス画像１０４ａの反転部分を拡大した撮像部１の製品画像を撮像画像１０５として表示させている。これによって、画像検査システムは、検査制御／処理部４によって検査を行う時の製品画像の領域を調整することができ、調整された製品画像の領域において検査用データとの比較を行わせることができる。
【００２５】
また、この画像検査システムは、サブメニュー１０２に含まれる「２値化レベル」の設定項目が選択されると、図３に示すように、図２とは異なる検査設定画像１０３、検査設定画像１０４及び撮像画像１０５を表示させることができ、撮像部１によって撮像された撮像画像１０５を検査制御／処理部４によって解析する時の２値化レベルを調整することができる。
【００２６】
したがって、この画像検査システムによれば、サブメニュー１０２の設定項目を選択してもサブメニュー１０２が消えずに、マウス等の操作性の高いデバイスではなく操作入力部９のように、方向キーと決定キーといったように操作性があまり高くない操作デバイスを用いても容易に所望の設定項目を選択させることができる。すなわち、この表示制御部６によれば、サブメニュー１０２に含まれる設定項目が選択されたことを操作入力部９に対する操作に基づいて検出した場合にも、当該サブメニュー１０２の表示を継続することができる。
【００２７】
また、この表示制御部６によれば、図２及び図３の設定画面１００に示したように、メインメニュー１０１、サブメニュー１０２に含まれる設定項目が選択されたことが操作入力部９に対する操作に基づいて検出した場合に、当該選択されたメインメニュー１０１の設定項目及びサブメニュー１０２の設定項目を強調表示（ハイライト表示）したままとしておくので、現在において表示されている内容がどのような設定項目の操作によって表示されたかを簡単に把握させることができ、更なる操作性の向上、設定機能の明確化を実現できる。
【００２８】
更に、この表示制御部６によれば、図２及び図３の設定画面１００に示すように、サブメニュー１０２に含まれる設定項目が設定画面１００で表示できる項目数よりも多い場合に、スクロールボタン１０６を表示させることによって、操作入力部９によって選択されることによってサブメニュー１０２をスクロール表示させることができる。これによって、更なる操作性の向上、機能の明確化を実現できる。
【００２９】
更にまた、この表示制御部６によれば、サブメニュー１０２に含まれる設定項目に対応した検査設定画像１０３等を表示させるために操作入力部９の決定キーの押下操作を検出しなくても、選択されているサブメニュー１０２の設定項目ごとに検査設定画像１０３等を切り換えても良い。これによって、特に操作入力部９を操作することなく操作入力部９の方向ボタンの押下操作のみによって、画像検査システムの設定するための検査設定画像１０３等を確認させることができる。
【００３０】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００３１】
【図１】本発明を適用した画像検査システムの構成を示すブロック図である。
【図２】本発明を適用した画像検査システムによって表示させる画像の一例である。
【図３】本発明を適用した画像検査システムによって表示させる画像の他の一例である。
【符号の説明】
【００３２】
１  撮像部
２  撮像制御部
３  画像メモリ
４  検査制御／処理部
５  検査用データ記憶部
６  表示制御部
７  出力制御部
８  表示部
９  操作入力部
１０  設定メニュー記憶部
１００  設定画面
１０１  メインメニュー
１０２  サブメニュー
１０３  検査設定画像
１０４  検査設定画像
１０４ａ  製品マトリクス画像
１０５  撮像画像
１０６  スクロールボタン
【図１】
2009110115.tif 000003
【図２】
2009110115.tif 000004
【図３】
2009110115.tif 000005